(57)【特許請求の範囲】
【請求項１】
操作体を一方向に回転操作して固定部に対して可動部を離反動作させることで、引き戸に固定され、操作体を他方向に回転操作して固定部に対して可動部を接近動作させることで、前記固定が解除されるように構成した引き戸用補助錠において、
前記操作体と一体回転する係合歯車と、該係合歯車に噛合して操作体を操作不能とするストッパ片と、該ストッパ片を係合歯車に噛み合う方向に付勢する付勢手段と、ストッパ片を前記係合歯車に対して係脱操作するロックカムと、このロックカムを操作するカム操作部材とを備え、
前記係合歯車，ストッパ片，付勢部材及びロックカムはケース本体内に収納され、
前記カム操作部材は、ストッパ片を係合歯車に噛合させるロック位置とストッパ片の係合歯車に対する噛合を解除するロック解除位置とに操作可能であると共に、ロック位置にて、ケース本体の外側から該ケース本体に形成した挿通孔を介してロックカムに形成した嵌合孔に嵌合する嵌合部を備え、この嵌合部には、本体部から径方向に突出する突出部が設けられ、この突出部が、カム操作部材のロック解除位置にて、ケース本体の背面側に係合して、カム操作部材が抜け止めされるように構成されていることを特徴とする引き戸用補助錠。
【請求項２】
前記係合歯車に噛合して該係合歯車を一方向及び他方向のいずれの方向にも回転不能とすることで操作体を操作不能とすべく、ストッパ片を一対備えていることを特徴とする請求項１に記載の引き戸用補助錠。
【請求項３】
ロックカムは一対のストッパ片の間に配置されていることを特徴とする請求項２に記載の引き戸用補助錠。
【発明の詳細な説明】
【０００１】
【発明の属する技術分野】
本発明は、出入り口や窓等の、建物の開口部に設けられる引き違い戸等の引き戸に、施錠用として取り付けられるクレセント錠等とは別に、補助的に使用される引き戸用補助錠に関するものである。
【０００２】
【従来の技術】
出入り口や窓等の、建物の開口部に設けられる建具として、例えば、引き違い戸（引き違いサッシュ）があり、この引き違い戸は、召し合わせ部に設けられたクレセント錠によって施錠可能とされているが、このクレセント錠だけでは防犯上不安な場合、窓用空調機を取り付ける場合、又は、戸を少し開けた状態にしておきたい場合等において、例えば、外側の戸と、戸枠との間で固定することで、外側の戸を戸枠側に固定すると共に、内側の戸の開動作を規制するようにした補助錠がある。
【０００３】
この補助錠として、ケース本体に固定された固定側係止片と、この固定側係止片に対向配置されると共に、固定側係止片に対して近接離反動作するようにケース本体に移動自在に支持された可動係止片と、この可動係止片を移動させるべく回転操作される操作ツマミとを備え、固定側係止片を、引き戸の外側の戸の上部又は下部に接当させると共に、可動係止片を、戸枠の、外側の戸に対向する立壁面に対向するように配置し、この状態で操作ツマミを一方向に回転操作して固定側係止片に対して可動係止片を離反動作させることにより、固定側係止片で外側の戸を押圧すると共に、可動係止片で戸枠の立壁面を押圧して、これら戸と戸枠との間で固定されるようにし、これにより、外側の戸を固定すると共に、内側の戸の開動作を規制するようにし、一方、操作ツマミを他方向に回転操作して固定側係止片に対して可動係止片を接近動作させることで、前記固定が解除されるようにした補助錠がある。
【０００４】
【発明が解決しようとする課題】
前記従来のものにあっては、戸のガラスが破壊されると、外部から操作ツマミを操作できるので、防犯上問題がある。
本発明は、上述のような実状に鑑みてなされたもので、補助錠を取り付ける場合には、操作体を一方向及び他方向のいずれの方向にも操作可能とし、補助錠を取り付けた後には、操作体を一方向及び他方向のいずれの方向にも操作不能にロックするようにすることで、防犯効果を高めるようにした引き戸用補助錠を提供するものである。
【０００５】
【課題を解決するための手段】
本発明では、前記目的を達成するために、次の技術的手段を講じている。
すなわち、操作体を一方向に回転操作して固定部に対して可動部を離反動作させることで、引き戸に固定され、操作体を他方向に回転操作して固定部に対して可動部を接近動作させることで、前記固定が解除されるように構成した引き戸用補助錠において、
前記操作体と一体回転する係合歯車と、該係合歯車に噛合して操作体を操作不能とするストッパ片と、該ストッパ片を係合歯車に噛み合う方向に付勢する付勢手段と、ストッパ片を前記係合歯車に対して係脱操作するロックカムと、このロックカムを操作するカム操作部材とを備え、
前記係合歯車，ストッパ片，付勢部材及びロックカムはケース本体内に収納され、
前記カム操作部材は、ストッパ片を係合歯車に噛合させるロック位置とストッパ片の係合歯車に対する噛合を解除するロック解除位置とに操作可能であると共に、ロック位置にて、ケース本体の外側から該ケース本体に形成した挿通孔を介してロックカムに形成した嵌合孔に嵌合する嵌合部を備え、この嵌合部には、本体部から径方向に突出する突出部が設けられ、この突出部が、カム操作部材のロック解除位置にて、ケース本体の背面側に係合して、カム操作部材が抜け止めされるように構成されていることを特徴とする。
【０００６】
また、前記係合歯車に噛合して該係合歯車を一方向及び他方向のいずれの方向にも回転不能とすることで操作体を操作不能とすべく、ストッパ片を一対備えているのがよい。
また、ロックカムは一対のストッパ片の間に配置されているのがよい。
【０００７】
【発明の実施の形態】
以下、本発明の実施の形態を図面に基づいて説明する。
図面は、スチールサッシュ、アルミサッシュ、木製サッシュ等の引き戸に使用される補助錠１の一実施形態を示している。
この補助錠１は、例えば、ステンレス鋼又はアルミ合金等の金属材料、又は、プラスチック等によって形成されており、固定側係止片（固定部）３が一体的に設けられたケース本体２と、前記固定側係止片３に対向する可動係止片（可動部）４を有し且つ固定側係止片３に対して可動係止片４が近接離反動作するように本体ケース２に移動自在（摺動自在）に装着された移動体５と、固定側係止片３に対して可動係止片４を近接離反動作させるために移動体５を移動させる操作体６と、移動体５（可動係止片４）の移動を規制するロック手段７と、ケース本体２の背面側に着脱可能に取り付けられる蓋体８とから主構成されている。
【０００８】
なお、前記固定側係止片３及び可動係止片４には、ゴム等からなるキャップ９が外嵌されている。
前記ケース本体２は、図１〜図１３に示すように、正面視略長方形の正面壁２ａの、ケース長手方向両端側及び左右方向（図３の左右方向）両端側の縁部から背面側に側壁２ｂ，２ｃ，２ｄ，２ｅを延出させることで、背面側を開放状として形成されており、このケース本体２の背面側は前記蓋体８によって閉塞されている。
【０００９】
このケース本体２の長手方向一端側の側壁２ｂを、背面側へ延出させることで前記固定側係止片３が、ケース本体２に一体形成されている。
また、正面壁２ａの、左右方向略中央部でケース長手方向他端側寄りには、嵌装孔１１が貫通形成されていると共に、この正面壁２ａの、嵌装孔１１と、ケース本体２の長手方向他端側の側壁２ｃとの間には、左右方向略中央に位置する挿通孔１２が貫通形成されている。
また、正面壁２ａの背面には、挿通孔１２に対応する位置に、円形の凹部１３が形成されている。
【００１０】
さらに、ケース本体２の正面の、長手方向他端側には、前記挿通孔１２の周辺に一段低くした段差部１４が形成され、この段差部１４近傍の、ケース本体２の左右方向一側には、「フリー」の文字が表示され、他側には、「ロック」の文字が表示されている。
また、正面壁２ａの背面側には、４箇所に取付台座１５が設けられ、そのうち３箇所の取付台座１５には蓋嵌着突起１６が設けられ、１箇所には、ねじ孔５０が形成されている。
【００１１】
また、正面壁２ａの背面側の、固定側係止片３と嵌装孔１１の間には、ケース長手方向一端側から他端側に延びる２条のガイドリブ１７が背面側に突出状に設けられている。
また、正面壁２ａの背面側の、挿通孔１２よりも他端側壁２ｃ寄りには、左右一対の支軸孔１８が設けられ、この左右各支軸孔１８から左右方向外方寄りに、後述するコイルバネ１９を装着するバネ装着部２０が形成されている。
前記移動体５は、図７及び図２０に示すように、正面視略長方形で背面側にその長手方向ほぼ中央に位置して、前記可動係止片４が背面側に突出状に形成されている。
【００１２】
この移動体５の正面側（可動係止片４と反対側の面）に、その左右方向略中央に位置してかつ長手方向に一定の間隔（ピッチ）で弧状の歯２１が突設され、後述の螺旋カム１０が係合するようになっている。
また、移動体５は、その長手方向が、ケース本体２の長手方向に一致するようにケース本体２内に収納されていて、可動係止片４が固定側係止片３に対向状に配置されると共に、歯２１は左右のガイドリブ１７間に位置していて、ガイドリブ１７によって長手方向に移動自在にガイドされるようになっている。
【００１３】
また、移動体５の長手方向の、固定側係止片３とは反対側の端縁には、切り欠き２２が設けられている。
前記操作体６は、図７及び図１７〜図１９に示すように、正面が閉塞状とされ背面が開放状とされた円筒形本体部の外周部に、係合歯２４ａを全周に亘って多数形成してなる係合歯車２４を備えており、係合歯車２４が操作体６と一体回転するように構成されている。
この係合歯車２４の背面側には、全周に亘って径方向外方に突出する鍔２３が設けられており、この鍔２３及び係合歯車２４の背面側には、前記螺旋カム１０が設けられている。
【００１４】
また、操作体６は、係合歯車２４の正面壁から一体的に突設されたツマミ部６ａを備えており、操作体６は、このツマミ部６ａが嵌装孔１１から正面側に突出するように、ケース本体２に装着されており、係合歯車２４の正面側外周部に形成された嵌合段部２５が嵌装孔１１の縁部に係合することで、操作体６の正面側への抜け止めがなされていると共に、操作体６が左右に回転自在に支持されている。
そして、ツマミ部６ａを把持して操作体６を回転させることにより、螺旋カム１０が、移動体５の歯２１間に挿入して係合し、これによって移動体５が長手方向に移動するようになっており、操作体６を左右一方向に回転操作すると固定側係止片３に対して可動係止片４が離反動作し、操作体６を左右他方向に回転操作すると固定側係止片３に対して可動係止片４が接近動作するようになっている。
【００１５】
なお、本実施の形態では、操作体６に係合歯車２４を一体に備えたものを例示したが、操作体としてのツマミ部を係合歯車とは別体に形成し、該操作体を係合歯車に取り付けるようにしてもよい。
前記ロック手段７は、図１、図２、図３、図７に示すように、前記係合歯車２４と、該歯車２４に噛合する左右一対のストッパ片２６Ｌ，２６Ｒと、左右各ストッパ片２６Ｌ，２６Ｒを前記歯車２４に噛み合う方向に常時付勢する付勢手段であるコイルバネ１９と、ストッパ片２６Ｌ，２６Ｒを前記歯車２４に対して係脱操作するロックカム２７と、このロックカム２７を操作するカム操作部材２８とにより主構成されている。
【００１６】
カム操作部材２８は、図２１に示すように、レバー式切り換えスイッチ型で、その操作レバー部２９の先端部背面に、嵌合軸部３０が直交状に（背面側に突出状に）形成されている。
この嵌合軸部３０は、その基部３０ａが円柱形とされ、先端側が基部と同径の円柱状本体部から径方向に突出した突出部４７を有する嵌合部３０ｂとされ、前記ケース本体２の挿通孔１２に挿脱自在に挿通可能とされている。
前記ロックカム２７は、図２２にも示すように、円柱部３１と、この円柱部３１の正面側寄りに位置して径方向外方に張り出されたカム本体３２と、円柱部３１の背面側に同心状に設けられた軸部３３とから主構成されている。
【００１７】
円柱部３１の正面側は、ケース本体２の凹部１３に軸心回りに回動自在に内嵌され、軸部３３は、蓋体８に形成された支持孔４５に軸心回りに回動自在に挿通されている。
また、円柱部３１には、正面側から軸心方向に嵌合孔３４が形成されており、前記カム操作部材２８の嵌合部３０ｂを、ケース本体の挿通孔１２を介して、嵌合孔３４に嵌合させることで、カム操作部材２８の、嵌合軸部３０軸心回りの揺動操作によってロックカム２７が、円柱部３１の軸心回りに回動操作されるように構成されている。
【００１８】
なお、前記挿通孔１２、嵌合部３０ｂ及び嵌合孔３４は、略一致する形状に形成されている。
カム本体３２の外周面には、円弧状の一対のカム面３２ａ，３２ｂと、このカム面３２ａ，３２ｂの間に位置する平坦面からなる一対の係止面３２ｃ，３２ｄとが形成されている。
なお、一対の係止面３２ｃ，３２ｄは、それらの延長面が交差するように形成されている。
【００１９】
左右各ストッパ片２６Ｌ，２６Ｒは、図２３及び図２４に示すように、その基端部の正面側及び背面側には、同一軸心上に、軸部３６，３７が設けられ、正面側の軸部３６は、ケース本体２の支持孔１８に軸心回りに回動自在に嵌合され、背面側の軸部３７は、蓋体８に形成された支持孔４６に軸心回りに回動自在に嵌合されており、これによって、先端側が係合歯車２４に対して近接離反自在となるように、ストッパ片２６Ｌ，２６Ｒが揺動自在に支持されている。
また、左右各ストッパ片２６Ｌ，２６Ｒの先端側には、係合歯車２４の係合歯２４ａ間に係合する係合部３８が設けられると共に、該係合部３８の側面に側面バネ保持部３９が設けられている。
【００２０】
そして、左右各ストッパ片２６Ｌ，２６Ｒのバネ保持部３９と、ケース本体２のバネ装着部２０との間に介在されたコイルバネ１９の付勢力は、左右各ストッパ片２６Ｌ，２６Ｒを、その係合部３８が係合歯車２４の係合歯２４ａ間に係合する方向に付勢しており、左右各ストッパ片２６Ｌ，２６Ｒの係合部３８が係合歯車２４の係合歯２４ａ間に係合することで、図１に示すように、係合歯車２４の軸心回りの回動が規制され、操作体６が左右一方向及び他方向のいずれの方向にも回動操作不能にロックされるようになっている。
【００２１】
この図１の状態において、左右各ストッパ片２６Ｌ，２６Ｒは、ロックカム２７の係止面３２ｃ，３２ｄに接当しており、カム操作部材２８は、図３に示すように、ロックの表示文字側寄りに（ロック位置に）位置しており、この位置で、カム操作部材２８の嵌合部３０ｂがロックカム２７の嵌合孔３４及びケース本体２の挿通孔１２から抜脱可能とされ、この嵌合部３０ｂを引き抜くことにより、操作体６の前記ロックが解除できないようになっている。
また、前記ロック位置から、カム操作部材２８をフリーの表示文字側（ロック解除位置）に揺動操作すると、図２に示すように、一方のカム面３２ａが右側のストッパ片２６Ｒを押動し、他方のカム面３２ｂが左側のストッパ片２６Ｌを押動し、これによって、左右のストッパ片２６Ｌ，２６Ｒが、その係合部３８が係合歯車２４の係合歯２４ａ間から離脱するように、コイルバネ１９の付勢力に抗して揺動し、操作体６の前記ロックが解除され、操作体６が左右一方向及び他方向のいずれの方向にも回動操作可能となる。
【００２２】
なお、カム操作部材２８は、ロック位置及びロック解除位置において、自己保持可能とされ、ロックカムの操作と、操作体６の回動操作とが、片手で行えるようになっている。
また、カム操作部材２８をロック解除位置にすると、嵌合部３０ｂの、円柱状本体部から径方向に突出した突出部４７が、ケース本体２の背面側、すなわち凹部１３の底部に係合して、嵌合部３０ｂの、嵌合孔３４及び挿通孔１２からの抜脱が不能とされ、カム操作部材２８が抜けないようになっている。
【００２３】
前記蓋体８は、図７、図１４〜図１６に示すように、長手方向がケース本体２に一致する略長方形の平板からなり、その中央部よりも若干一端（固定側係止片３側）寄りに位置して、長方形状の窓４０が開口されており、この窓４０から可動係止片４が、移動体５の移動方向に移動可能に突出している。
また、窓４０の周囲は板厚が薄くされて嵌合凹部４１とされ、前記移動体５を蓋長手方向に摺動案内させる互いに対向しかつ平行な左右の案内部４２が形成されている。
【００２４】
なお、案内部４２は、その長手方向一端、即ち、前記固定側係止片３側端からその他端側近傍にまで延び、他端側には幅方向中央部に位置して操作体６の傾きを防止する突起４３が内側（正面側）に向かって突設されている。
また、前記蓋体８には、左右方向両側に前記案内部４２の外側に位置して、前記ケース本体２の嵌着突起１６、及び、ネジ孔５０に螺合されるネジが挿通される取付孔４４が設けられ、前記突起４３の他端側に前記支持孔４５が設けられ、さらに、該支持孔４５の他端側に端縁まで切り欠かれた前記支持孔４６（この孔４６は真円であっても良い）が設けられており、該支持孔４６から左右方向外端寄りに前記ケース本体２のバネ装着部２０に挿入状とされて、コイルバネ１９のバネ装着部２０からの離脱を規制する突部４７が設けられている。
【００２５】
そして、この蓋体８は、ケース本体２に、前記移動体５、操作体６、及びカム操作部材２８を除くロック手段７を組み込んだ後、ケース本体２の嵌着突起１６を前記取付孔４４に嵌合させ、該嵌着突起１６を叩いて膨らせカシメ固定すると共に、ネジ孔５０にネジを螺合する。
なお、この蓋体８のケース本体２への固着は、分解可能とすることができる。
前記構成の実施の形態において、前記補助錠１を使用して引き戸を戸枠側に固定する場合、先ず、カム操作部材２８をロック解除位置に位置させておき、操作体６を回動操作して、可動係止片４を固定側係止片３側に接近するように移動させ、両係止片３、４の相対間隔を縮めておく。
【００２６】
そして、例えば、引き戸を閉めた状態とし、次いで、固定側係止片３を外側の戸の上部又は下部に接当させると共に、可動係止片４を、戸枠の、外側の戸に対向する立壁面に対向するように配置し、この状態で操作体６を回動操作して、可動係止片４を固定側係止片３から離反する方向に移動させて、これら係止片３，４の相対間隔を広げる。
すると、固定側係止片３で外側の戸を押圧すると共に、可動係止片３で戸枠の立壁面を押圧し、これら戸と戸枠との間で補助錠１が固定される。
【００２７】
その後、カム操作部材２８をロック位置に位置させると、前述したように、操作体６が左右いずれの方向にも回動しないようにロックされ、この状態では、外側の戸は、レールの一側面に押圧されて開閉動作が不能とされ、一方、内側の戸は、補助錠１が邪魔物となって、開き動作ができない。
ロックした後は、カム操作部材２８を抜いておくことにより、引き戸の内側からはもとより、ガラスを割って、引き戸の外側から補助錠１を外すことはできない。
【００２８】
なお、前記補助錠１を取り外す場合は、カム操作部材２６の嵌合部３０ｂをケース本体２の挿通孔１２からロックカム２７の嵌合３４に挿入した後、カム操作部材２６をロック解除位置に合わせることで、操作体６の回動操作が可能となり、可動係止片４を固定側係止片３側に移動させ、それらの間隔を縮めて、補助錠１の固定を解除することができる。
なお、前記使用例では、補助錠１は、引き違い戸の、外側の戸と、戸枠との間で固定するようにしているが、片引き戸にあっては、補助錠１は、壁と戸枠との間、又は、戸枠の対向する立壁面間で固定される。
【００２９】
また、前記ロック手段７のカム操作部材２６に替えて、押しボタンスイッチ方式、スライドスイッチ方式とすることができる。
また、前記移動体５の歯２１のピッチは，これを小さくすることで、螺旋カム１０による締め付けを強力にすることができ、緩んで簡単に外れるのを確実に防止できる。
本発明は、上記実施形態に限定されるものではない。
【００３０】
【発明の効果】
以上のように、本発明によれば、補助錠を取り付けた後、ロック手段によって操作体をロックし、さらにカム操作部材を取り外すことにより、ガラスを割って外部から操作体を操作しようとしても、カム操作部材を取り外した後は、ロックカムを容易には操作できず、防犯効果を確実にすることができる。
【図面の簡単な説明】
【図１】  操作体をロックした状態を示す補助錠内部の背面図である。
【図２】  操作体のロックを解除した状態を示す補助錠内部の背面図である。
【図３】  補助錠の正面図である。
【図４】  補助錠の側面図である。
【図５】  補助錠の背面図である。
【図６】  補助錠の平面図である。
【図７】  図３のＡ−Ａ線矢示断面図である。
【図８】  ケース本体の背面図である。
【図９】  図８のＢ−Ｂ線矢示断面図である。
【図１０】  図８のＣ−Ｃ線矢示断面図である。
【図１１】  図８のＤ−Ｄ線矢示断面図である。
【図１２】  図８のＥ−Ｅ線矢示断面図である。
【図１３】  ケースの正面側の一部を示す正面図である。
【図１４】  蓋体の背面図である。
【図１５】  図１４のＦ−Ｆ線矢示断面図である。
【図１６】  図１４のＧ−Ｇ線矢示断面図である。
【図１７】  操作体の側面図である。
【図１８】  操作体の正面図である。
【図１９】  操作体の背面図である。
【図２０】  （ａ）は移動体の正面図であり、（ｂ）は移動体の側面図である。
【図２１】  （ａ）はカム操作部材の側面図であり、（ｂ）はカム操作部材の背面図である。
【図２２】  （ａ）はロックカムの正面図であり、（ｂ）はロックカムの側面図である。
【図２３】  （ａ）は左側ストッパ片の正面図であり、（ｂ）は左側ストッパ片の側面図であり、（ｃ）は左側ストッパ片の背面図である。
【図２４】  （ａ）は右側ストッパ片の正面図であり、（ｂ）は右側ストッパ片の側面図であり、（ｃ）は右側ストッパ片の背面図である。
【符号の説明】
１    補助錠
２    ケース本体
３    固定側係止片（固定部）
４    可動係止片（可動部）
５    移動体
６    操作体
７    ロック手段
１２    挿通孔
１９    コイルバネ（付勢手段）
２４    係合歯車
２６    ストッパ片
２７    ロックカム
２８    カム操作部材
３０ｂ  嵌合部
３４    嵌合孔
４７    突出部
【図１】
0003874616.tif 000002
【図２】
0003874616.tif 000003
【図３】
0003874616.tif 000004
【図４】
0003874616.tif 000005
【図５】
0003874616.tif 000006
【図６】
0003874616.tif 000007
【図７】
0003874616.tif 000008
【図８】
0003874616.tif 000009
【図９】
0003874616.tif 000010
【図１０】
0003874616.tif 000011
【図１１】
0003874616.tif 000012
【図１２】
0003874616.tif 000013
【図１３】
0003874616.tif 000014
【図１４】
0003874616.tif 000015
【図１５】
0003874616.tif 000016
【図１６】
0003874616.tif 000017
【図１７】
0003874616.tif 000018
【図１８】
0003874616.tif 000019
【図１９】
0003874616.tif 000020
【図２０】
0003874616.tif 000021
【図２１】
0003874616.tif 000022
【図２２】
0003874616.tif 000023
【図２３】
0003874616.tif 000024
【図２４】
0003874616.tif 000025